(57)【要約】【課題】ケーブルピット内に重ねられて配置された多数のケーブルから所望のケーブルを容易に持ち上げることができるようにする。【解決手段】ケーブルピット２の開口部３を挟んだ床１面の両側に配置される脚部１２０，１３０と支持台１５０とを備えた架台１１０を設け、支持台１５０からケーブルピット２に向け垂下される垂下部材１７０を設け、垂下部材１７０の下端から当該垂下部材１７０の垂下方向に対して垂直方向に載置部材１８０を取り付け、この載置部材１８０を、多数のケーブルの配置方向に沿ったケーブル没入位置ａとケーブル延設方向と略垂直な方向でありケーブルを載置できるケーブル載置位置ｂとの２位置に位置変更可能とし、垂下部材１７０を支持台１５０に設けられた垂下部材駆動装置１６０によって上下動自在とした。【選択図】図１
2008141891.tif 000002
【特許請求の範囲】
【請求項１】
複数本のケーブルを収納するため床面に開口部を備えて形成された溝状のケーブルピットの開口部を挟んだ床面の両側に配置される脚部、及び、前記脚部に取付けられ前記開口部の上方に配置された支持部を備えた架台と、
前記支持部から前記ケーブルピットに向け垂下される垂下部材と、
前記垂下部材の下端から当該垂下部材の垂下方向に対して垂直方向に取付けられ、前記複数本のケーブルの配置方向に沿ったケーブル没入位置と、ケーブル延設方向と略垂直な方向であり前記ケーブルを載置できるケーブル載置位置との２位置に位置変更可能に設けられた載置部材と、
前記架台に設けられ、前記垂下部材を上下動させる垂下部材駆動装置と、
を備えることを特徴とするケーブル昇降装置。
【請求項２】
前記脚部の下端部には、前記架台を移動可能に支持する車輪部材が配置されていることを特徴とする請求項１記載のケーブル昇降装置。
【請求項３】
前記架台は、架台の移動を禁止するロック機構を備えることを特徴とする請求項１または２記載のケーブル昇降装置。
【請求項４】
前記架台は、ケーブルピットを挟んで対向する前記脚部間の間隔寸法を変更する間隔変更装置を備えることを特徴とする請求項１ないし３のいずれか一記載のケーブル昇降装置。
【請求項５】
前記垂下部材駆動装置は、前記支持部材に配置されていることを特徴とする請求項１記載のケーブル昇降装置。
【請求項６】
前記垂下部材駆動装置は、手動式倍力機構、油圧駆動機構、及び、電動駆動機構の少なくとも一つを備えることを特徴とする請求項５記載のケーブル昇降装置。
【請求項７】
前記垂下部材駆動装置は、前記垂下部材に形成された雄ねじ部と、前記支持部に配置された前記雄ねじ部が螺合する雌ねじ部とを備えることを特徴とする請求項６のケーブル昇降装置。
【請求項８】
前記載置部材は、棒状であり、ケーブルとの間の抵抗を低減する回転自在な回転部材を備えていることを特徴とする請求項１のケーブル昇降装置。
【発明の詳細な説明】
【技術分野】
【０００１】
本発明はケーブル昇降装置に係り、特に、多数のケーブルを収納するため床面に開口部を備えて形成された溝状のケーブルピットの上方に配置され、ケーブルピット内に延設された多数のケーブルを上方に保持することができるケーブル昇降装置に関する。
【背景技術】
【０００２】
一般に、電力や通信等の施設には、多数のケーブルが用いられ、これらケーブルはケーブルピット等のケーブル収納部に納められる。ケーブルピットは、床面に開口部を備えた溝状の施設であって内部に多数のケーブルが納められており、新たにケーブルを敷設する場合には、すでにケーブルピット内に納められている多数積み重ねられたケーブルの上に載せてゆくようにしている。そして、所定のケーブルを撤去するなどケーブルに関する作業を行う際には、多数積み重ねられたケーブルのうち、撤去等の作業をするケーブルを特定し、引き抜くようにしている。
【０００３】
このような引き抜き作業を行うとき、撤去するケーブルが積み重ねられたケーブルの下側にあることがあり、従来、撤去するケーブルの上側に重なっているケーブルを多数の作業員の人力により持ち上げて、撤去するケーブルを引き抜く等している。また、大径のケーブルや持ち上げるケーブル数が多く人力で持ち上げることができない場合、小型の昇降機を施設内に搬入して持ち上げるようにしている。
【０００４】
このようにケーブルピットからケーブルを持ち上げる装置として、特許文献１にはケーブル保持具が記載されている。このケーブル保持具は、枠体と紐部材とから構成されており、枠体は、上部が開口され内部に多数のケーブルが収容されたケーブルピットの開口部両側に跨がって配置され、さらに、枠体は、ケーブルダクトの両側の床に沿って配置される両ベースと、これらベースに接続されるコの字状の支持枠とからなっている。また、支持枠の縦枠部の内側には、鈎部が上下に複数設けられ、紐部材は、紐の長さを調整するバックルを備え、両端には三角状のフックが取付けられる。鈎部には、紐部材両端フックが引っ掛けられるようになっており、紐部材を重ねられたケーブルのうち所定のケーブルの下側に通してフックを鈎部に係止させると、これらケーブルが吊り上げられ保持されるようになっている。
【０００５】
【特許文献１】特開平１０−３２２８３１号公報
【発明の開示】
【発明が解決しようとする課題】
【０００６】
しかしながら、上述したケーブル保持具にあっては、所定のケーブルを吊り上げるには、紐部材をケーブルの下に挿通する必要があり、作業者が吊り上げるケーブルを持ち上げねばならず、この作業は、狭いケーブルピット内で、複数の重いケーブルを持ち上げるものであり、容易ではない。
【０００７】
そこで本発明は、ケーブルピット内に重ねられて配置された多数のケーブルから所望のケーブルを容易に持ち上げることができるケーブル昇降装置を提供することを目的とする。
【課題を解決するための手段】
【０００８】
本発明は、複数本のケーブルを収納するため床面に開口部を備えて形成された溝状のケーブルピットの開口部を挟んだ床面の両側に配置される脚部、及び、前記脚部に取付けられ前記開口部の上方に配置された支持部を備えた架台と、前記支持部から前記ケーブルピットに向け垂下される垂下部材と、前記垂下部材の下端から当該垂下部材の垂下方向に対して垂直方向に取付けられ、前記複数本のケーブルの配置方向に沿ったケーブル没入位置と、ケーブル延設方向と略垂直な方向であり前記ケーブルを載置できるケーブル載置位置との２位置に位置変更可能に設けられた載置部材と、前記架台に設けられ、前記垂下部材を上下動させる垂下部材駆動装置と、を備える。
【発明の効果】
【０００９】
本発明に係るケーブル昇降装置によれば、垂下部材の下部に設けた載置部材をケーブルピットの内部に挿入して、載置部材をケーブル延設方向と略垂直な方向であり前記ケーブルを載置できるケーブル載置位置にし、垂下部材駆動装置で垂下部材を昇降させることにより、ケーブルピット内に重ねられて配置された多数のケーブルから所望のケーブルを容易に持ち上げることができ、撤去などの処理を行うケーブルを容易に露出させることができるという効果がある。
【発明を実施するための最良の形態】
【００１０】
以下本発明に係るケーブル昇降装置の実施の形態について図面に基づいて説明する。
【００１１】
図１は、ケーブル昇降装置の全体構造を示す斜視図である。本例では、複数のケーブルからなるケーブル群Ｃは、床１面に開口部３を開設した溝状のケーブルピット２内に底部から順次重ね合わせて配置されている。本例に係るケーブル昇降装置１００は、ケーブルピット２上に配置されている。
【００１２】
本例のケーブル昇降装置１００は、ケーブルピット２の上方に配置される架台１１０を備えており、架台１１０はケーブルピット２を挟んで配置される脚部１２０，１３０と、この脚部１２０，１３０の上方に配置された支持部としての支持台１５０とを備えている。また、本例では、支持台１５０には垂下部材１７０が垂下部材駆動装置１６０を介して上下動可能に配置されている。また、垂下部材１７０の下端には載置部材１８０が垂下部材１７０を軸として回動可能に配置されている。本例では、載置部材１８０は垂下部材１７０を軸としてケーブル群Ｃの配置方向に沿ったケーブル没入位置（図１中ａ）と、ケーブル群Ｃ延設方向と略垂直な方向でありケーブル群Ｃを載置できるケーブル載置位置（図１中ｂ）の２位置に位置変更可能に設けられている。
【００１３】
本例では、架台１１０の脚部１２０は、２本の脚部材１２１，１２２と、これらの脚部材１２１，１２２を中途で連結する補強部材１２３とを備え、脚部材１２１，１２２の下端には、車輪部材とロック機構を備えたストッパ付きのキャスタ装置１９０が配置されている。同様に、ケーブルピット２を挟んで反対側に配置される脚部１３０は脚部１２０と同様に脚部材１３１，１３２、補強部材１３３、キャスタ装置１９０を備えている。
【００１４】
本例では２つの脚部１２０，１３０は支持台１５０に図示していないヒンジ部材で開閉可能に取付けられており、間隔調整装置１４０をなす位置調整部材１４１、１４２を配置している。この間隔調整装置１４０は、位置調整部材１４１に多数の孔部を形成し、脚部１２０，１３０に設けられた凸部に孔部のうちどの孔部を係合させるかで、脚部１２０，１３０の間隔を調整し、図示しないロック装置で固定するものである。本例では上記脚部１２０，１３０は例えば断面Ｌ字形状の鋼材を溶接あるいはボルト止めして構成するようにしている。
【００１５】
図２は、ケーブル昇降装置１００の垂下部材駆動装置１６０を示す拡大正面図である。垂下部材駆動装置１６０は、支持台１５０に配置されている。即ち本例では、図２に示すように、垂下部材駆動装置１６０は支持台１５０に開設した垂下部材挿入孔１５１と、垂下部材１７０の上端部に形成した雄ねじ部１７１に螺合する雌ねじ部材であるナット１６１とワッシャ１６２とを備えてなる。本例によれば、ナット１６１をスパナ等の回転工具で回動することにより、ナット１６１に螺合した垂下部材１７０は上下方向に駆動される。なお、ナット１６１に回転用の取手を設けることができるほか、チェーンブロックなどによる手動の倍力機構、油圧シリンダを用いた油圧駆動機構、電動モータ等を用いた電動駆動機構を使用することができる。
【００１６】
図３は、ケーブル昇降装置１００の垂下部材１７０と載置部材１８０との間の取り付け構造を示す拡大正面図である。上述のように、載置部材１８０は垂下部材１７０に対して回動可能に取付けられている。本例では、垂下部材１７０と載置部材１８０とは、図３に示すような構造を備えている。即ち、垂下部材１７０の下部には雄ねじ部１７８が形成され、その上方には係止板１７３が溶接１７９等で固定されている。そして、載置部材１８０には、垂下部材挿入孔１８３が開設されており、この垂下部材挿入孔１８３に載置部材１８０の雄ねじ部１７８を挿入して、２つのナット１７４，１７５及びワッシャ１７６で載置部材１８０が回動可能な状態で、垂下部材１７０と載置部材１８０とを固定する。なお、この垂下部材１７０と載置部材１８０は、交換可能に構成することが好ましい。例えば持ち上げるべきケーブル群Ｃ２にあわせて載置部材１８０の全長を変更する。持ち上げるべきケーブル群Ｃ２の量が少ないときは、載置部材１８０の寸法を小さくした（例えば２０ｃｍ）ものを取り付けるようにすることができる。
【００１７】
図４は、ケーブル昇降装置の載置部材１８０の端部を示す図であり、（ａ）は拡大斜視図、（ｂ）は（ａ）中のＡ−Ａ線に相当する断面図である。図４に示すように、載置部材１８０は、円筒形の軸材１８１に多数の円筒部材１８３を固定した回転部材としてのスリーブ１８２を被せ、このスリーブ１８２をワッシャ１８４及び螺子１８５で前記軸材１８１に回転可能に取り付けたものである。これによりケーブルと載置部材１８０との間の抵抗を低減することができ、載置部材１８０をケーブル群Ｃに挿入しやすく、またケーブル群Ｃ内での回転をし易くしている。なお、載置部材１８０の構造は上記例に限らず円筒部材１８３を軸材１８１に直接回転動可能に設ける構造、載置部材１８０の長さを可変にする構造等適宜変更することができる。
【００１８】
図５ないし図７は、ケーブル昇降装置１００の使用状態を示す断面概略図である。ここで、ケーブル昇降装置１００を使用してケーブルピット２内のケーブル群Ｃのうち必要なケーブル群Ｃ２を保持して持ち上げる手順について説明する。
【００１９】
まず、図５ないし図７に示すように、ケーブル昇降装置１００の間隔調整装置１４０を使用して、脚部１２０，１３０の間隔をケーブルピット２の間隔よりやや大きくして固定し、キャスタ装置１９０をケーブルピット２の開口部３両側の床１に設置するよう調整する。そして、キャスタ装置１９０を使用してケーブルピット２の所定の個所に移動し、キャスタ装置１９０のロック機構を作動させ、当該所定位置に固定する。
【００２０】
次に、図５に示すように、垂下部材駆動装置１６０のナット１６１を回動工具により回転させ、垂下部材１７０を下方に移動し、載置部材１８０をケーブルピット２内に配置されたケーブル群Ｃをかき分けつつ所定深さまで埋没させる。この際、載置部材１８０をケーブルの配置方向に沿ったケーブル没入位置（図１中位置ａ）として、載置部材１８０はケーブルとケーブルとの間に入り易い方向に配置する。本例では、載置部材１８０にはスリーブ１８２が配置されているため、ケーブルと載置部材１８０との間の抵抗を減少させることができ、容易に載置部材１８０をケーブル群Ｃ内に没入させることができる。
【００２１】
次に、図６に示すように、載置部材１８０をケーブルの配置方向に沿ったケーブル没入位置（図１中位置ａ）からケーブル延設方向と略垂直な方向でありケーブルを載置できるケーブル載置位置（図１中位置ｂ）に回転させる。この載置部材１８０の回転駆動は手動で、ケーブルを載置部材１８０に移動させるようにして行うものである。この操作によりケーブルピット２内に残すケーブル群Ｃ１と、載置部材１８０上に載置されるケーブル群Ｃ２とが分けられ、これらの間に載置部材１８０が配置される。なお、この垂下部材１７０の昇降は、上述のように手動で行うことができるほか、モータを用いた電動式の昇降機、を用いることができ、このような場合、昇降機は昇降速度可変なものとすることが望ましい。
【００２２】
そして、図７に示すように、垂下部材駆動装置１６０のナット１６１を回転工具で逆方向に回動して、垂下部材１７０を上昇させる。この操作により、ケーブルピット２内において、載置部材１８０上に載置されたケーブル群Ｃ２がケーブル群Ｃ１の上方に空間を開けて持ち上げられ、処理を行うケーブルが露出することになる。
【００２３】
そして、必要な処理が終了した後、上記操作と逆の操作を行い、載置部材１８０をケーブル群Ｃから抜き取り、ケーブル昇降装置１００をケーブルピット２から撤去する。これにより一連の作業は終了する。
【００２４】
以上説明したように、本例に係るケーブル昇降装置によれば、ケーブルピット内に重ねられて配置された多数のケーブルから所望のケーブルを容易に持ち上げることができ、撤去などの処理を行うケーブルを容易に露出させることができる。この際、ネジ機構を備える垂下部材駆動装置を使用することができケーブルの上昇下降を容易に行うことができるほか、ケーブル群に挿入される載置部材にはスリーブ１８２を配置しているから、載置部材の挿入、回転をケーブルとの間の抵抗を低減した状態で行うことができる。
【図面の簡単な説明】
【００２５】
【図１】本発明の実施の一形態として、ケーブル昇降装置の全体構造を示す斜視図である。
【図２】ケーブル昇降装置の垂下部材駆動装置を示す拡大正面図である。
【図３】ケーブル昇降装置の垂下部材と載置部材との間の取り付け構造を示す拡大正面図である。
【図４】ケーブル昇降装置の載置部材の端部を示す図であり、（ａ）は拡大斜視図、（ｂ）は（ａ）中のＡ−Ａ線に相当する断面図である。
【図５】ケーブル昇降装置の使用状態を示す断面概略図である。
【図６】ケーブル昇降装置の使用状態を示す断面概略図である。
【図７】ケーブル昇降装置の使用状態を示す断面概略図である。
【符号の説明】
【００２６】
１      床
２      ケーブルピット
３      開口部
１１０  架台
１２０  脚部
１３０  脚部
１４０  間隔調整装置
１５０  支持台（支持部）
１６０  垂下部材駆動装置
１７０  垂下部材
１９０  キャスタ装置（車輪部材）
Ｃ      ケーブル群
Ｃ１    ケーブル群
Ｃ２    ケーブル群
【図１】
2008141891.tif 000003
【図２】
2008141891.tif 000004
【図３】
2008141891.tif 000005
【図４】
2008141891.tif 000006
【図５】
2008141891.tif 000007
【図６】
2008141891.tif 000008
【図７】
2008141891.tif 000009